(57)【特許請求の範囲】
【請求項１】
互いに外径の異なる大径ディスク形記録媒体と小径ディスク形記録媒体とを機器本体内の再生位置に位置させて、これらのディスク形記録媒体に記録された情報を読み出す記録媒体再生装置において、
前記大径ディスク形記録媒体と前記小径ディスク形記録媒体とを前記機器本体に設けられた記録媒体挿入口から前記再生位置に至る搬送経路に沿って搬送する搬送手段と、
前記機器本体に変位自在に設けられ、前記ディスク形記録媒体を前記搬送経路に沿って前記再生位置に案内する案内手段と、
前記機器本体に変位自在に設けられ、小径ディスク形記録媒体が前記搬送経路から外れることを阻止する阻止手段と、
前記大径ディスク形記録媒体が搬送される際には前記搬送経路外に変位自在にするとともに、前記小径ディスク形記録媒体が搬送される際には前記搬送経路内に位置付けるように前記阻止手段の変位を規制する規制手段と、を備えているとともに、
前記案内手段は、一対のセンタリングアームを備え、
前記阻止手段は、前記一対のセンタリングアームのうちの一方のセンタリングアームに係脱自在であるとともに前記一方のセンタリングアームに係合した際に前記小径ディスク形記録媒体が前記搬送経路から外れることを阻止するストッパーアームを備え、
前記規制手段は、前記大径ディスク形記録媒体が搬送されると前記一方のセンタリングアームと前記ストッパーアームとの係合を解除して前記ストッパーアームを前記搬送経路外に変位自在にするとともに、前記小径ディスク形記録媒体が搬送されると、前記一方のセンタリングアームと前記ストッパーアームとの係合を維持して前記ストッパーアームの変位を規制することを特徴とする記録媒体再生装置。
【請求項２】
前記一対のセンタリングアームは、
両端部が接離自在となるように前記機器本体に回転自在に支持されたアーム本体と、
前記アーム本体の一端部に設けられ、前記機器本体に挿入される大径ディスク形記録媒体と小径ディスク形記録媒体との双方に接触可能な突出ピンと、を備え、
前記一方のセンタリングアームは、
前記アーム本体の他端部に設けられた係合突起を備え、
前記ストッパーアームは、
前記機器本体に回転自在に支持された第２アーム本体と、
前記第２アーム本体に設けられた鉤部と、を備え、
前記鉤部は、前記記録媒体挿入口から前記再生位置に向かうディスク形記録媒体の搬入方向に沿って前記係合突起に係合することを特徴とする請求項１記載の記録媒体再生装置。
【請求項３】
前記規制手段は、
前記一対のセンタリングアームを連動させるリンクを備え、
前記リンクは、
前記一対のセンタリングアームのうちのいずれか一方のセンタリングアームの突出ピンが他方のセンタリングアームの突出ピンから離れる方向に押される際に、前記係合突起と前記鉤部との係合を維持して前記ストッパーアームの変位を規制するとともに、
前記一対のセンタリングアームの両方の突出ピンが互いに離れる方向に押される際に、前記係合突起と前記鉤部との係合を解除して前記ストッパーアームの変位を許容することを特徴とする請求項２記載の記録媒体再生装置。
【発明の詳細な説明】
【０００１】
【発明の属する技術分野】
本発明は、例えば、Compact Discなどの記録媒体から情報を読み出す記媒体再生装置に関する。
【０００２】
【従来の技術】
例えば、移動体としての自動車のインストルメントパネル（以下インパネと呼ぶ）には、記録媒体再生装置としてのＣＤプレーヤが取り付けられる。ＣＤプレーヤは、Compact Disc（以下ＣＤと呼ぶ）などの記録媒体が記録した情報を読み出す。
【０００３】
前記ＣＤプレーヤは、前記インパネに取り付けられる機器本体と、前記機器本体に開口した記録媒体挿入口と、搬送ユニットと、一対のセンタリングアームと、前記ＣＤに記録された情報を読み出すための再生ユニット等を備えている。機器本体は、複数の板金などが互いに組み付けられて箱状に形成されている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられた一対の挟持部材を備えている。
【０００５】
これら一対の挟持部材のうち一方は、モータなどの駆動源によって回転駆動される搬送ローラを備えている。搬送ローラは、前記モータなどの駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。
【０００６】
一対のセンタリングアームは、前記記録媒体挿入口の近傍に配されている。一対のセンタリングアームは、機器本体の幅方向に沿って互いに間隔をあけて配されている。一対のセンタリングアームは、一端部が互いに近づいたり互いに離れたりするように、前記機器本体に回転自在に支持されたアーム本体と、このアーム本体の一端部から突出した突出ピンと、を備えている。
【０００７】
これらのセンタリングアームは、リンク機構によって、アーム本体が互いに連動して機器本体に対し回転する。また、これらのセンタリングアームは、ばねなどの付勢手段によって、前記一端部即ち突出ピンが互いに近づく方向に付勢されている。
【０００８】
再生ユニットは、前記ＣＤを回転するために回転テーブルと、前記ＣＤに記録された情報を読み出すための光ピックアップ等を備えている。再生ユニットは、前記ＣＤを前記再生位置に位置決め（クランプ）して、回転テーブルがＣＤを回転して、光ピックアップが前記ＣＤに記録された情報を読み出す。
【０００９】
前記ＣＤが記録媒体挿入口を通して機器本体内に挿入されると、まず、ＣＤが突出ピンに接触する。そして、ＣＤは、前記一対の挟持部材間に挟まれる。搬送ローラの回転によってＣＤが機器本体内に搬送されるのにしたがって、突出ピンが互いに離れる方向にアーム本体が徐々に回転する。一対のセンタリングアームの突出ピンは、前記再生位置にＣＤを案内する。こうして、記録媒体再生装置は、ＣＤを機器本体外から再生位置に搬送してきた。
【００１０】
そして、前記ＣＤは再生ユニットにクランプされて、該再生ユニットによって情報を取り出される。記録媒体再生装置は、取り出された情報を音声として出力する。ＣＤを機器本体外に搬出する際には、まず、回転テーブルの回転を止める。搬送ユニットの搬送ローラを先ほどとは逆方向に回転させて、ＣＤを記録媒体挿入口内に通して機器本体内から機器本体外に徐々に搬送する。
【００１１】
このとき、突出ピンがＣＤに接触する。一対のセンタリングアームの突出ピンは、ＣＤの排出にしたがって、互いに離れたり近づいたり（接離）する。そして、一対のセンタリングアームの突出ピンは、前記ＣＤの排出方向を案内する。
【００１２】
【発明が解決しようとする課題】
前述した記録媒体再生装置は、互いに外径の異なる複数種のＣＤに記録された情報を再生する。前述したセンタリングアームなどを備えた記録媒体再生装置では、比較的小径なＣＤが記録媒体挿入口の端寄りに挿入されると、一対のセンタリングアームのうち一方の突出ピンにしか接触せず、その為この小径なＣＤを前記再生位置に案内することができない場合があった。
【００１３】
また、ＣＤを機器本体から排出する際に、記録媒体挿入口の近傍に障害物がおかれていると、前記ＣＤが前記障害物にぶつかる。このとき、特に、比較的小径なＣＤは、搬送力のバランスが崩れることにより記録媒体挿入口付近にて左右に逃げ、再度、機器本体内に挿入されることになる。すると、その小径なＣＤは、記録媒体挿入口から再生位置に至る搬送経路を外れてしまう。そのため、小径なＣＤは機器本体の奥に侵入されてしまう。このように、従来の記録媒体再生装置では、ＣＤなどの記録媒体が記録媒体挿入口と前記再生位置とに至る搬送経路を外れる虞があった。
【００１４】
したがって、本発明の目的は、記録媒体が搬送経路から外れることを防止できる記録媒体再生装置を提供することにある。
【００１５】
【課題を解決するための手段】
前記課題を解決し目的を達成するために、請求項１に記載の本発明の記録媒体再生装置は、互いに外径の異なる大径ディスク形記録媒体と小径ディスク形記録媒体とを機器本体内の再生位置に位置させて、これらのディスク形記録媒体に記録された情報を読み出す記録媒体再生装置において、前記大径ディスク形記録媒体と前記小径ディスク形記録媒体とを前記機器本体に設けられた記録媒体挿入口から前記再生位置に至る搬送経路に沿って搬送する搬送手段と、前記機器本体に変位自在に設けられ、前記ディスク形記録媒体を前記搬送経路に沿って前記再生位置に案内する案内手段と、前記機器本体に変位自在に設けられ、小径ディスク形記録媒体が前記搬送経路から外れることを阻止する阻止手段と、前記大径ディスク形記録媒体が搬送される際には前記搬送経路外に変位自在にするとともに、前記小径ディスク形記録媒体が搬送される際には前記搬送経路内に位置付けるように前記阻止手段の変位を規制する規制手段と、を備えているとともに、前記案内手段は、一対のセンタリングアームを備え、前記阻止手段は、前記一対のセンタリングアームのうちの一方のセンタリングアームに係脱自在であるとともに前記一方のセンタリングアームに係合した際に前記小径ディスク形記録媒体が前記搬送経路から外れることを阻止するストッパーアームを備え、前記規制手段は、前記大径ディスク形記録媒体が搬送されると前記一方のセンタリングアームと前記ストッパーアームとの係合を解除して前記ストッパーアームを前記搬送経路外に変位自在にするとともに、前記小径ディスク形記録媒体が搬送されると、前記一方のセンタリングアームと前記ストッパーアームとの係合を維持して前記ストッパーアームの変位を規制することを特徴としている。
【００１７】
請求項２に記載の本発明の記録媒体再生装置は、請求項１に記載の記録媒体再生装置において、前記一対のセンタリングアームは、両端部が接離自在となるように前記機器本体に回転自在に支持されたアーム本体と、前記アーム本体の一端部に設けられ、前記機器本体に挿入される大径ディスク形記録媒体と小径ディスク形記録媒体との双方に接触可能な突出ピンと、を備え、前記一方のセンタリングアームは、前記アーム本体の他端部に設けられた係合突起を備え、前記ストッパーアームは、前記機器本体に回転自在に支持された第２アーム本体と、前記第２アーム本体に設けられた鉤部と、を備え、前記鉤部は、前記記録媒体挿入口から前記再生位置に向かうディスク形記録媒体の搬入方向に沿って前記係合突起に係合することを特徴としている。
【００１８】
請求項３に記載の本発明の記録媒体再生装置は、請求項２に記載の記録媒体再生装置において、前記規制手段は、前記一対のセンタリングアームを連動させるリンクを備え、前記リンクは、前記一対のセンタリングアームのうちのいずれか一方のセンタリングアームの突出ピンが他方のセンタリングアームの突出ピンから離れる方向に押される際に、前記係合突起と前記鉤部との係合を維持して前記ストッパーアームの変位を規制するとともに、前記一対のセンタリングアームの両方の突出ピンが互いに離れる方向に押される際に、前記係合突起と前記鉤部との係合を解除して前記ストッパーアームの変位を許容することを特徴としている。
【００２１】
請求項１に記載した本発明の記録媒体再生装置によれば、小径ディスク形記録媒体が機器本体内に搬送される際には、規制手段は阻止手段の変位を規制して搬送経路内に位置付ける。したがって、阻止手段は、小径ディスク形記録媒体が搬送経路から外れることを確実に防止する。
【００２２】
小径ディスク形記録媒体が搬送される際にはストッパーアームが一方のセンタリングアームに係合したままその変位が規制される。このため、ストッパーアームは、小径ディスク形記録媒体が搬送経路から外れることを確実に防止する。また、大径ディスク形記録媒体を搬送する際にはストッパーアームと一方のセンタリングアームとの係合が解除される。したがって、ストッパーアームは、大径ディスク形記録媒体の搬送動作を妨げない。
【００２３】
請求項２に記載した本発明の記録媒体再生装置によれば、ストッパーアームの鉤部は、ディスク形記録媒体の搬入方向に沿って、一方のセンタリングアームの係合突起に係合する。また、センタリングアームは、アーム本体の両端部が互いに接離するように機器本体に回転自在に支持されている。さらに、ディスク形記録媒体が機器本体内に挿入される際に、突出ピンが互いに離れる方向にセンタリングアームが回転される。
【００２４】
まず、大径ディスク形記録媒体が機器本体内に挿入される際には、突出ピンが互いに離れる方向に、センタリングアームが回転される。そして、係合突起が機器本体の内側に向かって移動しながら他方のセンタリングアームに近づくこととなる。すると、係合突起が鉤部内から抜け出る。
【００２５】
このため、大径ディスク形記録媒体が機器本体内に搬送される際に、ストッパーアームと一方のセンタリングアームとの係合を確実に解除できる。このため、ストッパーアームの機器本体に対する変位が確実に許容される。したがって、ストッパーアームは、大径ディスク形記録媒体の搬送動作を妨げることがない。
【００２６】
請求項３に記載した本発明の記録媒体再生装置によれば、いずれか一方のセンタリングアームの突出ピンが他方のセンタリングアームから離れる方向に押されると、係合突起と鉤部とが係合したままとなる。このため、小径ディスク形記録媒体を搬送する際には、係合突起と鉤部とが係合したままとなる。このため、ストッパーアームの機器本体に対する変位が規制される。したがって、ストッパーアームは、小径ディスク形記録媒体が搬送経路から外れることをより確実に防止する。
【００２７】
また、双方のセンタリングアームの突出ピンが互いに離れる方向に押されると、係合突起と鉤部との係合が解除される。このため、大径ディスク形記録媒体を機器本体内に挿入する際には、係合突起と鉤部との係合が解除される。このため、ストッパーアームの機器本体に対する変位が許容される。したがって、ストッパーアームは、大径ディスク形記録媒体の搬送動作をより確実に妨げることがない。
【００３４】
【発明の実施の形態】
本発明の第１の実施形態にかかる記録媒体再生装置１を図１ないし図１２を参照して説明する。図１などに示す記録媒体再生装置１は、例えば、移動体としての自動車のインストルメントパネル（以下インパネと呼ぶ）に装着される。
【００３５】
記録媒体再生装置１は、外径が例えば１２ｃｍなどの比較的大径な大径ディスク形記録媒体としての大径ＣＤ２ａ（図１２に示す）と、外径が例えば８ｃｍなどの比較的小径な小径ディスク形記録媒体としての小径ＣＤ２ｂ（図１０および図１１に示す）とを使用者が選択して、後述する機器本体３内に収容する。記録媒体再生装置１は、これらの互いに外径の異なるＣＤ２ａ，２ｂを機器本体３内の後述する再生位置に位置させて、これらのＣＤ２ａ，２ｂに記録された情報を取り出して（再生して）、音声として出力する。
【００３６】
記録媒体再生装置１は、図１などに示すように、機器本体３と、搬送手段としての搬送ユニット４（図６ないし図８に示す）と、クランプ再生手段としてのクランプ再生ユニット５と、一対のロック部材４４（図６ないし図８に一つ示す）と、ディスクセンタリング機構６０（図９に示す）と、を備えている。
【００３７】
機器本体３は、シャーシ８（図２及び図３などに示す）と、駆動源部６（図３に示す）と、一対のスライド部材７（図４に一つ示す）と、を備えている。シャーシ８は、図２及び図３に示すように、複数の板金などが互いに取り付けられて構成されている。前記板金などが折り曲げられて、シャーシ８は、扁平な箱状に形成されている。
【００３８】
シャーシ８は、図２及び図３に示すように、略平坦な底壁９と、該底壁９に間隔をおいて相対する略平坦な天井壁１０と、これらの底壁９と天井壁１０とに連なる複数の周壁１１と、を備えている。これらの壁９，１０，１１には、それぞれ、前記シャーシ８の軽量化と剛性の確保とのために、複数の開口部が設けられている。
【００３９】
複数の周壁１１のうち図１中の手前側に位置する一つの周壁１１には、記録媒体挿入口１２が形成されている。記録媒体挿入口１２は、前記一つの周壁１１を貫通している。記録媒体挿入口１２は、図１中の矢印Ｋに沿って、内側に前記ＣＤ２ａ，２ｂを通すことができる。前記記録媒体挿入口１２を通して、前記ＣＤ２ａ，２ｂは、機器本体３内に収容されたり、該機器本体３内から排出される。
【００４０】
駆動源部６は、前記記録媒体挿入口１２を形成した前記一つの周壁１１に連なる他の周壁１１（図３中奥側に位置する周壁１１）の近傍に取り付けられている。駆動源部６は、図３に示すように、駆動源としてのモータ１３と、複数の歯車１４と、を備えている。モータ１３は、シャーシ８に取り付けられている。モータ１３は、本明細書に記した搬送ユニット４の駆動源をなしている。
【００４１】
モータ１３の出力軸には、図示しないピニオンが取り付けられている。複数の歯車１４は、それぞれ、前記周壁１１などに回転自在に支持されている。これらの歯車１４は互いに噛み合っているとともに、これらの歯車１４のうち一つの歯車１４は、前記ピニオンと噛み合っている。
【００４２】
一対のスライド部材７は、記録媒体挿入口１２を形成した一つの周壁１１に連なる一対の周壁１１それぞれに取り付けられている。スライド部材７は、周壁１１に、前記矢印Ｋに沿ってスライド自在に取り付けられている。即ち、スライド部材７は、ＣＤ２ａ，２ｂの挿入及び排出方向（以下併せて搬送方向と呼ぶ）に沿って、スライド自在となっている。
【００４３】
一対のスライド部材７のうち図３中奥側に位置するスライド部材７には、ラック１５が取り付けられている。ラック１５は、記録媒体挿入口１２を通して機器本体３内にＣＤ２ａ，２ｂが挿入されると、図示しないシーソ部材によって、前記記録媒体挿入口１２が形成された一つの周壁１１に向かって押される。
【００４４】
ラック１５は、前記シーソ部材によって前記一つの周壁１１に向かって押されると、一つの歯車１４と噛み合う。また、一対のスライド部材７は、リンク１００（図１などに示す）によって、同期して周壁１１に対しスライド移動する。すなわち、一対のスライド部材７は、同時に記録媒体挿入口１２に近づいたり離れたり（接離）する。
【００４５】
図２中に奥側の周壁１１に取り付けられたスライド部材７は、図４に示すように、板金部１６と、合成樹脂部１７と、を備えている。板金部１６は、帯板状に形成されかつ前記周壁１１に、図４中の矢印Ｋに沿って、スライド自在に支持されている。板金部１６の長手方向は、前記周壁１１の長手方向に沿っている。
【００４６】
合成樹脂部１７は、摩擦係数の小さな合成樹脂からなり略方体状に形成されている。合成樹脂部１７は、板金部１６に三つ取り付けられている。合成樹脂部１７は、板金部１６の長手方向の中央部と、板金部１６の記録媒体挿入口１２から離れた端部と、板金部１６の前記中央部と前記端部との間に設けられている。
【００４７】
板金部１６には、一対のガイド孔１８と、一対の孔１９とが設けられている。これらの孔１８，１９は、板金部１６を貫通している。前記一対のガイド孔１８は、板金部１６の記録媒体挿入口１２寄りの端部に設けられている。これら一対のガイド孔１８は、板金部１６の長手方向に沿って互いに間隔をあけて配されている。
【００４８】
ガイド孔１８は、それぞれ、一対の水平延在部２０ａ，２０ｂと、一対の傾斜延在部２１ａ，２１ｂと、を備えている。ガイド孔１８は、記録媒体挿入口１２に近い側から順に、一方の水平延在部２０ａと一方の傾斜延在部２１ａと他方の傾斜延在部２１ｂと他方の水平延在部２０ｂとを配している。これらの一方の水平延在部２０ａと一方の傾斜延在部２１ａと他方の傾斜延在部２１ｂと他方の水平延在部２０ｂは、互いに直列に連なっている。
【００４９】
両水平延在部２０ａ，２０ｂは、板金部１６即ちスライド部材７のスライド方向（矢印Ｋ）に沿って延びている。一方の水平延在部２０ａが他方の水平延在部２０ｂより図４中の下方に配されている。両傾斜延在部２１ａ，２１ｂは、板金部１６即ちスライド部材７のスライド方向（矢印Ｋ）に対し交差する方向に沿って延びている。
【００５０】
一方の傾斜延在部２１ａは、一方の水平延在部２０ａから離れるのにしたがって徐々に下方に向かうように延びている。他方の傾斜延在部２１ｂは、前記一方の傾斜延在部２１ａから離れて他方の水平延在部２０ｂに近づくのにしたがって徐々に上方に向かうように延びている。
【００５１】
一方の孔１９は、板金部１６の長手方向に沿って、前記板金部１６の中央部に設けられた合成樹脂部１７と、前記中央部と前記端部との間に設けられた合成樹脂部１７と、の間に設けられている。他方の孔１９は、板金部１６の長手方向に沿って、前記中央部と前記端部との間に設けられた合成樹脂部１７と、前記板金部１６の端部に設けられた合成樹脂部１７と、の間に設けられている。
【００５２】
また、板金部１６の記録媒体挿入口１２寄りの端部には、ガイド斜面２２が設けられている。ガイド斜面２２は、記録媒体挿入口１２に向かうにしたがって徐々に上方に向かうように、スライド部材７のスライド方向に対し傾斜している。
【００５３】
前記板金部１６の中央部に設けられた合成樹脂部１７には、第１ガイド溝２３が設けられている。第１ガイド溝２３は、合成樹脂部１７の機器本体３の内側に位置する表面から凹に形成されている。第１ガイド溝２３は、水平部２４と上方傾斜部２５と拡大部２６と、を備えている。これらの水平部２４と上方傾斜部２５と拡大部２６とは、スライド部材７のスライド方向に沿って、記録媒体挿入口１２から離れるのにしたがって順に配されている。水平部２４と上方傾斜部２５と拡大部２６とは、互いに連なっている。
【００５４】
水平部２４は、スライド部材７のスライド方向に沿って延びている。上方傾斜部２５は、水平部２４即ち記録媒体挿入口１２から離れるのにしたがって徐々に上方に向かうように、スライド部材７のスライド方向に対し傾斜している。拡大部２６は、上方傾斜部２５即ち記録媒体挿入口１２から離れるのにしたがって、スライド部材７のスライド方向に対し交差する方向の幅が徐々に大きくなるように形成されている。拡大部２６の記録媒体挿入口１２から離れた端部の幅は、前記孔１９の幅と略等しい。
【００５５】
板金部１６の中央部と前記端部との間に設けられた合成樹脂部１７には、第２ガイド溝２７が設けられている。第２ガイド溝２７は、合成樹脂部１７の機器本体３の内側に位置する表面から凹に形成されている。第２ガイド溝２７は、水平部２７ａと、下方傾斜部２８と、拡大部２９と、を備えている。水平部２７ａと下方傾斜部２８と拡大部２９とは、スライド部材７のスライド方向に沿って順に配されている。水平部２７ａと下方傾斜部２８と拡大部２９とは、互いに連なっている。
【００５６】
水平部２７ａは、スライド部材７のスライド方向に沿って延びている。下方傾斜部２８は、記録媒体挿入口１２から離れるのにしたがって徐々に下方に向かうように、スライド部材７のスライド方向に対し傾斜している。拡大部２９は、下方傾斜部２８即ち記録媒体挿入口１２から離れるのにしたがって、スライド部材７のスライド方向に対し交差する方向の幅が徐々に大きくなるように形成されている。拡大部２９の記録媒体挿入口１２から離れた端部の幅は、前記孔１９の幅と略等しい。
【００５７】
板金部１６の前記端部に設けられた合成樹脂部１７には、ロックガイド溝３０とロック凹溝３１とが設けられている。ロックガイド溝３０とロック凹溝３１とは、合成樹脂部１７の機器本体３の内側に位置する表面から凹に形成されている。ロックガイド溝３０は、ロック凹溝３１の上方に設けられている。ロックガイド溝３０は、スライド延在部３２と交差延在部３３とを備えている。
【００５８】
スライド延在部３２と交差延在部３３とは、スライド部材７のスライド方向に沿って、記録媒体挿入口１２から離れるのにしたがって順に配されている。スライド延在部３２と交差延在部３３とは、互いに連なっている。
【００５９】
スライド延在部３２は、スライド部材７のスライド方向に沿って延びている。交差延在部３３は、スライド延在部３２から上方に向かって延びている。こうして、交差延在部３３は、スライド延在部３２から前記スライド方向に対し交差する方向に沿って延びている。
【００６０】
ロック凹溝３１は、水平延在部３５と、拡大部３６と、を備えている。水平延在部３５と拡大部３６とは、スライド部材７のスライド方向に沿って、記録媒体挿入口１２から離れるのにしたがって順に配されている。水平延在部３５と拡大部３６とは、互いに連なっている。
【００６１】
水平延在部３５は、スライド部材７のスライド方向に沿って延びている。拡大部３６は、水平延在部３５即ち記録媒体挿入口１２から離れるのにしたがって、スライド部材７のスライド方向に対し交差する方向の幅が徐々に大きくなるように形成されている。
【００６２】
板金部１６に一対のガイド孔１８と一対の孔１９とガイド斜面２２が設けられ、かつ合成樹脂部１７に第１ガイド溝２３と第２ガイド溝２７とロックガイド溝３０とロック凹溝３１とが設けられている。このため、スライド部材７は、一対のガイド孔１８と一対の孔１９とガイド斜面２２と第１ガイド溝２３と第２ガイド溝２７とロックガイド溝３０とロック凹溝３１とを備えている。
【００６３】
搬送ユニット４は、図６ないし図８などに示すように、ローラアーム３７と、ディスクガイド３８と、を備えている。ローラアーム３７は、前記記録媒体挿入口１２の近傍に配されている。ローラアーム３７は、板金などからなるアーム本体３９と、ローラ４０と、を備えている。
【００６４】
アーム本体３９は、長手方向がシャーシ８の幅方向に沿った帯状に形成されている。アーム本体３９は、幅方向の一方の縁部を中心として底壁９に回転自在に支持されている。アーム本体３９の回転中心は、シャーシ８の幅方向に沿っている。アーム本体３９は、幅方向の他方の縁部が底壁９から離れる方向に、図示しないコイルばねによって付勢されている。
【００６５】
ローラ４０は、アーム本体３９の前記他方の縁部に回転自在に支持されている。ローラ４０の回転中心は、シャーシ８の幅方向に沿っている。ローラ４０の一端部には、図示しない歯車が取り付けられている。アーム本体３９の前記他方の縁部が底壁９から離れた状態において、ローラ４０の歯車は、駆動源部６の歯車１４の一つに噛み合う。ローラ４０は、前記歯車１４などを介して、モータ１３の回転駆動力によって回転される。
【００６６】
ディスクガイド３８は、板金などからなるガイド本体４１と、該ガイド本体に取り付けられた滑り部材４２と、を備えている。ガイド本体４１は、長手方向がシャーシ８の幅方向に沿った帯状に形成されている。ガイド本体４１は、後述するピン４３と、該ピン４３が侵入するガイド孔１８と、によって、鉛直方向に沿ってスライド自在にシャーシ８に支持されている。滑り部材４２は、摩擦係数の小さい合成樹脂からなる。滑り部材４２は、薄い板状に形成されている。滑り部材４２は、ガイド本体４１のシャーシ８の内側に位置する表面に取り付けられている。
【００６７】
前記ローラアーム３７とディスクガイド３８は、それぞれ、ピン４３を備えている。ローラアーム３７のピン４３は、アーム本体３９の図１及び図２中の奥側に位置する幅方向の端部から前記スライド部材７を取り付けた周壁１１に向かって突出している。ローラアーム３７のピン４３は、アーム本体３９が図示しないコイルばねに付勢されることによって、スライド部材７のガイド斜面２２に接触する。
【００６８】
ディスクガイド３８のピン４３は、ガイド本体４１の図１及び図２中の奥側に位置する幅方向の端部に一対設けられ、ガイド本体４１の図１及び図２中の手前側に位置する幅方向の端部に一つ設けられている。これらのピン４３は、ガイド本体４１から周壁１１に向かって突出している。ガイド本体４１の図１及び図２中の奥側に位置する幅方向の端部に一対設けられたディスクガイド３８のピン４３は、それぞれ、前記ガイド孔１８内を通る。
【００６９】
前述した構成のローラアーム３７とディスクガイド３８は、挟持手段をなしている。このため、搬送ユニット４は、一対の挟持手段を備えていることとなる。
【００７０】
クランプ再生ユニット５は、キャリッジシャーシ４５と、クランプアーム４６と、を備えている。キャリッジシャーシ４５は、板金などからなるシャーシ本体４７と、該シャーシ本体４７に取付られた回転テーブル４８と、前記シャーシ本体４７に取り付けられた図示しない光ピックアップ部と、を備えている。シャーシ本体４７は、略平板状に形成されている。
【００７１】
回転テーブル４８は、シャーシ本体４７に回転自在に支持されている。回転テーブル４８は、ＣＤ２ａ，２ｂの中央孔内に侵入する。回転テーブル４８は、モータなどの駆動力によってＣＤ２ａ，２ｂを回転させる。光ピックアップ部は、前記ＣＤ２ａ，２ｂに記録された情報を読みとるための光ピックアップと、該光ピックアップを回転テーブル４８に対し接離させる駆動機構などを備えている。
【００７２】
クランプアーム４６は、板金などからなるアーム本体４９と、クランパ５０と、を備えている。アーム本体４９は、略平板状に形成されている。キャリッジシャーシ４５のシャーシ本体４７に、記録媒体挿入口１２から離れた端部を中心として回転自在に支持されている。アーム本体４９の回転中心は、シャーシ８の幅方向に沿っている。アーム本体４９がシャーシ本体４７に近づいた状態では、シャーシ本体４７とアーム本体４９とが略平行になる。
【００７３】
クランパ５０は、回転テーブル４８に相対する位置に配されている。クランパ５０は、円板状に形成されているとともに、アーム本体４９に回転自在に支持されている。クランパ５０は、アーム本体４９がシャーシ本体４７と略平行な状態となると、回転テーブル４８との間にＣＤ２ａ，２ｂを挟むことができる。なお、本明細書では、ＣＤ２ａ，２ｂが回転テーブル４８とクランパ５０との間に挟まれる位置を再生位置とする。また、記録媒体挿入口１２と前記再生位置との間は、本明細書に記した搬送経路をなしている。
【００７４】
また、前述した構成のクランプ再生ユニット５は、図示しないゴムなどの弾性体からなるダンパと、コイルばねなどによって、前記機器本体３に対し移動自在にシャーシ８内に支持される。クランプ再生ユニット５は、回転テーブル４８とクランパ５０との間にＣＤ２ａ，２ｂを挟んで、回転テーブル４８でＣＤ２ａ，２ｂを回転させ光ピックアップ部で該ＣＤ２ａ，２ｂ内の情報を読み出す。
【００７５】
そして、クランプ再生ユニット５は、前記自動車の走行中の振動によって機器本体３が振動しても、前記ダンパとコイルばねとによってシャーシ８に対し移動する。このように、前記ダンパとコイルばねなどは、前記自動車の走行中の振動などが前記ＣＤ２ａ，２ｂの情報を読み出す作業に悪影響を与えることを防止する。また、クランプ再生ユニット５は、後述する鉤部５４のロックピン５２に対する係止が徐々に解除されるのにしたがって、前記機器本体３に対し移動自在となる範囲が徐々に拡大する。
【００７６】
また、前記キャリッジシャーシ４５とクランプアーム４６は、それぞれ、第２ピン５１を備えている。キャリッジシャーシ４５の第２ピン５１は、シャーシ本体４７の図１及び図２中の奥側及び手前側に位置する幅方向の両端部から周壁１１に向かって突出している。キャリッジシャーシ４５の第２ピン５１は、ロック部材４４が後述するロック位置に位置すると、前記第１ガイド溝２３内に侵入する。キャリッジシャーシ４５の第２ピン５１は、ロック部材４４が後述するロック解除位置に位置すると、前記第１ガイド溝２３から抜け出る。
【００７７】
クランプアーム４６の第２ピン５１は、アーム本体４９の図１及び図２中の奥側に位置する幅方向の端部から前述したスライド部材７を取り付けた周壁１１に向かって突出している。クランプアーム４６の第２ピン５１は、ロック部材４４がロック位置に位置すると、前記第２ガイド溝２７内に侵入する。クランプアーム４６の第２ピン５１は、ロック部材４４がロック解除位置に位置すると、前記第２ガイド溝２７から抜け出る。
【００７８】
前記キャリッジシャーシ４５は、さらに、ロックピン５２を備えている。ロックピン５２は、キャリッジシャーシ４５のシャーシ本体４７の両端部からスライド部材７を取り付けた周壁１１に向かって突出している。ロックピン５２は、アーム本体４９とシャーシ本体４７との相対的な回転運動の回転中心に設けられている。ロックピン５２は、ロック部材４４がロック位置に位置すると、前記ロック凹溝３１内に侵入する。キャリッジシャーシ４５のロックピン５２は、ロック部材４４がロック解除位置に位置すると、前記ロック凹溝３１から抜け出る。
【００７９】
前述した構成のキャリッジシャーシ４５とクランプアーム４６は、第２挟持手段をなしている。このため、クランプ再生ユニット５は、一対の第２挟持手段を備えていることとなる。さらに、ロックピン５２は、一方の第２挟持手段から突出していることとなる。
【００８０】
ロック部材４４は、前記スライド部材７を取りつけた周壁１１それぞれの近傍に配されている。これらのロック部材４４は、記録媒体挿入口１２を形成した周壁１１と相対する周壁１１の近傍に配されている。
【００８１】
ロック部材４４は、それぞれ、薄い板金などからなり、かつ平面形状が略矩形状のロック本体５３と鉤状の鉤部５４と第３ピン５９とを一体に備えている。鉤部５４は、ロック本体５３の一つの外縁部から離れる方向に延びた後、前記一つの外縁部に沿って延びている。
【００８２】
ロック部材４４は、前記ロック本体５３の鉤部５４から離れた端部５８を中心として、底壁９に回転自在に支持されている。ロック部材４４は、前記端部５８を中心として回転することで、図６に示す鉤部５４でロックピン５２を係止するロック位置と、図８に示す鉤部５４でのロックピン５２の係止を解除するロック解除位置と、に亘って変位する。
【００８３】
第３ピン５９は、ロック本体５３からスライド部材７に向かって突出している。第３ピン５９は、前記ロック位置とロック解除位置とに亘って、ロックガイド溝３０内に侵入する。
【００８４】
なお、前述したスライド部材７と、ピン４３と、第２ピン５１と、第３ピン５９とは、連動手段を構成している。後述するように搬送ユニット４のローラアーム３７とディスクガイド３８が搬送してきたＣＤ２ａ，２ｂを、クランプ再生ユニット５のキャリッジシャーシ４５とクランプアーム４６とで挟む。
【００８５】
すると、これらで構成される連動手段は、前記ＣＤ２ａ，２ｂがローラアーム３７とディスクガイド３８などに接触できないように、ローラアーム３７とディスクガイド３８をＣＤ２ａ，２ｂから徐々に離させるとともに、ロック部材４４をロック位置からロック解除位置に向かって徐々に移動させる。
【００８６】
また、前記ロックピン５２と、ロック部材４４と、ロック凹溝３１とは、ロック手段をなしている。これらで構成されるロック手段は、前記クランプ再生ユニット５を機器本体３に対し固定するロック位置と、クランプ再生ユニット５を機器本体３に対し移動自在とするロック解除位置と、に亘って変位自在である。
【００８７】
ディスクセンタリング機構６０は、図９に示すように、リンクガイド孔６１と、本明細書に記した案内手段を構成する一対のセンタリングアーム６２と、本明細書に記した規制手段を構成するリンク６３と、本明細書に記した阻止手段を構成するストッパーアーム６４と、を備えている。リンクガイド孔６１は、シャーシ８の底壁９を貫通している。リンクガイド孔６１は、記録媒体挿入口１２の近傍でかつシャーシ８の幅方向の中央に設けられている。リンクガイド孔６１は、直線部６５と、円弧部６６と、を備えている。
【００８８】
直線部６５は、前記ＣＤ２ａ，２ｂの搬送方向Ｋに沿って略直線状である。円弧部６６は、直線部６５の長手方向の中央に設けられている。円弧部６６は、直線部６５のシャーシ８の幅方向に沿った幅を拡大するように、直線部６５の縁部からスライド部材７を取りつけた周壁１１に向かって凹に形成されている。円弧部６６は、平面形状が略円弧状である。
【００８９】
一対のセンタリングアーム６２は、それぞれ、記録媒体挿入口１２の近傍に配されている。一対のセンタリングアーム６２は、互いの間にリンクガイド孔６１を位置させている。一対のセンタリングアーム６２は、シャーシ８の幅方向に沿って互いに間隔をあけて配されている。
【００９０】
一対のセンタリングアーム６２は、それぞれ、帯状のアーム本体６７と、突出ピン６８と、を備えている。一対のセンタリングアーム６２のアーム本体６７は、両端部６７ａ，６７ｂが互いに近づいたり離れたり（接離）するように、回転自在にシャーシ８の底壁９に支持されている。アーム本体６７の一端部６７ａは、他端部６７ｂより前記記録媒体挿入口１２寄りに配されている。アーム本体６７は、図９に示す長手方向が前記搬送方向Ｋに沿う係合位置と、この係合位置から一端部６７ａが互いに離れた図１２に示す解除位置とに亘って、変位可能に底壁９に回転自在に支持されている。
【００９１】
突出ピン６８は、アーム本体６７の一端部６７ａから天井壁１０即ち記録媒体挿入口１２の内側に向かって突出している。また、一対のセンタリングアーム６２のうち一方のセンタリングアーム６２は、係合突起６９を備えている。係合突起６９は、一方のセンタリングアーム６２のアーム本体６７の他端部６７ｂから天井壁１０即ち記録媒体挿入口１２の内側に向かって突出している。係合突起６９は、アーム本体６７のシャーシ８の幅方向に沿って外側に位置する縁部に設けられている。
【００９２】
前述した構成によって、一方のセンタリングアーム６２のアーム本体６７は、図９に示す係合位置では係合突起６９に後述する鉤部７３が係合する。一方のセンタリングアーム６２のアーム本体６７は、図１２に示す解除位置では係合突起６９と鉤部７３との係合が解除される。
【００９３】
リンク６３は、一対のリンクアーム７０と、これらのリンクアーム７０を互いに連結する連結ピン７１と、を備えている。リンクアーム７０は、それぞれ、一端部がセンタリングアーム６２のアーム本体６７の他端部６７ｂと、回転自在に連結している。連結ピン７１は、円柱状に形成されている。連結ピン７１は、一対のリンクアーム７０の他端部を相互に回転自在に連結しているとともに、リンクガイド孔６１内に侵入している。連結ピン７１の外径は、リンクガイド孔６１の直線部６５の幅より若干小さい。また、リンク６３は、図示しないコイルばねなどの付勢手段によって、センタリングアーム６２が前述した係合位置に位置するように付勢されている。
【００９４】
前述した構成によって、リンク６３は、一端部６７ａが互いに離れる際には他端部６７ｂが互いに近づき、一端部６７ａが互いに近づく際には他端部６７ｂが互いに離れるように、アーム本体６７を同期させて回転させる。こうして、リンク６３は、アーム本体６７を同期させて回転させて、一対のセンタリングアーム６２を前記係合位置と解除位置とに亘って変位させる。
【００９５】
また、一対のセンタリングアーム６２のうちいずれかのセンタリングアーム６２の突出ピン６８が他方のセンタリングアーム６２の突出ピン６８から離れる方向に押されると、リンク６３の連結ピン７１が円弧部６６内に侵入する。そして、リンク６３は、連結ピン７１が円弧部６６内に侵入した状態から、一対のセンタリングアーム６２の突出ピン６８が互いに離れることを防止する。すなわち、リンク６３は、連結ピン７１が円弧部６６内に侵入した状態からアーム本体６７の回転を規制する。
【００９６】
さらに、一対のセンタリングアーム６２の双方の突出ピン６８が互いに離れる方向に押されると、連結ピン７１が円弧部６６内に侵入することなく直線部６５内を移動する。こうして、リンク６３は、いずれかのセンタリングアーム６２の突出ピン６８が他方のセンタリングアーム６２の突出ピン６８から離れる方向に押された場合には、連結ピン７１が円弧部６６内に侵入した状態からアーム本体６７が回転することを規制する。そして、リンク６３は、双方の突出ピン６８が互いに離れる方向に押された場合には、センタリンクアーム６２のアーム本体６７が前記係合位置から解除位置に向かって変位することを許容する。
【００９７】
また、連結ピン７１が円弧部６６内に侵入した状態では、双方の突出ピン６８に大径ＣＤ２ａが接触可能である。連結ピン７１が円弧部６６内に侵入した状態では、小径ＣＤ２ｂはいずれか一方の突出ピン６８にしか接触できなく、双方の突出ピン６８に同時に接触できない。
【００９８】
ストッパーアーム６４は、係合突起６９を備えた一方のセンタリングアーム６２よりシャーシ８の幅方向に沿って機器本体３の外側に配されている。このため、ストッパーアーム６４は、前記一方のセンタリングアーム６２と、この一方のセンタリングアーム６２寄りのスライド部材７を取りつけた周壁１１との間に配されている。
【００９９】
ストッパーアーム６４は、シャーシ８の底壁９に回転自在に支持される第２アーム本体７２と、鉤部７３と、ストッパ突起７４とを備えている。第２アーム本体７２は、図９中に実線で示す鉤部７３が係合突起６９に係合する位置と、図９中に点線で示す位置とに亘って回転自在である。第２アーム本体７２は、図示しないねじりばねなどの付勢手段によって、前記鉤部７３が係合突起６９に係合する位置に向かって付勢されている。
【０１００】
鉤部７３は、第２アーム本体７２から一方のセンタリングアーム６２に向かって延びた突出部７５と、該突出部７５から搬送方向Ｋに沿って機器本体３の奥に向かって延びた延在部７６と、を備えている。鉤部７３は、突出部７５が搬送方向Ｋに沿って係合突起６９より機器本体３の外側（即ち記録媒体挿入口１２寄り）に位置した状態で、延在部７６と第２アーム本体７２との間に係合突起６９を挟んで、係合突起６９に係合可能である。
【０１０１】
ストッパ突起７４は、搬送経路内に位置し、その搬送経路内を搬送される大径ＣＤ２ａ又は小径ＣＤ２ｂに接触可能とされる。
【０１０２】
前述した構成のストッパーアーム６４では、鉤部７３と係合突起６９が係合することで第２アーム本体７２の回転が規制される。すなわち、このストッパーアーム６４は、一方のセンタリングアーム６２のアーム本体６７の回転が規制されている状態にあるとき鉤部７３と係合突起６９との係合状態を維持して第２アーム本体７２を回転させない。よって、ストッパ突起７４は、搬送経路内に位置した状態に保たれる。これにより小径ＣＤ２ｂが搬送経路を外れようとしても、そのストッパ突起７４が小径ＣＤ２ｂに接触して、搬送経路から外れることを防止する。
【０１０３】
また、ストッパーアーム６４は、一方のセンタリングアーム６２のアーム本体６７が解除位置に変位されると鉤部７３と係合突起６９との係合状態が解除され第２アーム本体７２が回転可能とされる。よって、搬送経路内を搬送している大径ＣＤ２ａにストッパ突起７４が接触しても、第２アーム本体７２が回転してストッパ突起７４を搬送経路外に退避させる。これによりストッパ突起７４が大径ＣＤ２ａの搬送を阻害しない。
【０１０４】
次に、前述した構成の記録媒体再生装置１の作用（動作）について説明する。まず、ＣＤ２ａ，２ｂが機器本体３内に挿入されていない状態では、図６に示すように、スライド部材７は、前記記録媒体挿入口１２から最も離れている。ローラアーム３７のピン４３は、ガイド斜面２２の記録媒体挿入口１２寄りの端部に接触している。ディスクガイド３８のピン４３は、水平延在部２０ａ内に位置している。こうして、ローラアーム３７とディスクガイド３８とは互いに近づいている。ローラアーム３７のローラ４０の端部に取りつけられた歯車は、駆動源部６の歯車１４と噛み合っている。
【０１０５】
また、ＣＤ２ａ，２ｂが機器本体３内に挿入されていない状態では、図６に示すように、キャリッジシャーシ４５の第２ピン５１は、第１ガイド溝２３の水平部２４の記録媒体挿入口１２寄りの端部に位置している。クランプアーム４６の第２ピン５１は、第２ガイド溝２７の水平部２７ａの記録媒体挿入口１２寄りの端部に位置している。こうして、キャリッジシャーシ４５とクランプアーム４６とは互いに離れた状態となっている。
【０１０６】
さらに、ＣＤ２ａ，２ｂが機器本体３内に挿入されていない状態では、図６に示すように、ロックピン５２は、ロック凹溝３１の水平延在部３５の記録媒体挿入口１２寄りの端部に位置している。ロック部材４４の鉤部５４は、ロックピン５２に係止しているとともに、ロック部材４４の第３ピン５９は、ロックガイド溝３０のスライド延在部３２の記録媒体挿入口１２寄りに端部に位置している。こうして、鉤部５４がロックピン５２に係止して、ロック部材４４は、クランプ再生ユニット５を機器本体３に対し固定している。また、ディスクセンタリング機構６０は、図９に示す状態になっている。
【０１０７】
まず、記録媒体再生装置１の使用者が記録媒体挿入口１２内にＣＤ２ａ，２ｂを挿入する。大径ＣＤ２ａを記録媒体挿入口１２内に挿入した場合では、まず、大径ＣＤ２ａが双方の突出ピン６８に接触する。突出ピン６８が互いに離れる方向にセンタリングアーム６２が回転される。一方のセンタリングアーム６２のアーム本体６７が、前記解除位置に向かって回転する。
【０１０８】
また、図６に示す状態で、大径ＣＤ２ａを記録媒体挿入口１２内に挿入すると、モータ１３が例えば正転方向に回転するとともに、ローラ４０が回転する。モータ１３の駆動力によって回転されたローラ４０とディスクガイド３８の滑り部材４２との間に大径ＣＤ２ａが挟まれる。ローラ４０が回転しているため、大径ＣＤ２ａは、キャリッジシャーシ４５とクランプアーム４６との間即ち再生位置に向かって搬送される。
【０１０９】
すると、係合突起６９が突出部７５から徐々に離れていき鉤部７３内から抜け出ようとする。大径ＣＤ２ａが前記解除位置でも双方の突出ピン６８に接触するので、連結ピン７１が円弧部６６内に侵入することなく、前記一方のセンタリングアーム６２のアーム本体６７が解除位置に変位する。鉤部７３内から係合突起６９が抜け出て、図１２に示すように、鉤部７３と係合突起６９との係合が解除される。
【０１１０】
さらに、ローラ４０の回転などによって、前記再生位置に向かって搬送されていくと、大径ＣＤ２ａは、ストッパーアーム６４のストッパ突起７４と接触する。鉤部７３と係合突起６９との係合が解除されているため、ストッパーアーム６４の第２アーム本体７２が回転自在となっている。このため、大径ＣＤ２ａの搬送動作に伴って、図９中に点線で示す位置に向かって、ストッパーアーム６４は徐々に回転する。
【０１１１】
すると、大径ＣＤ２ａがシーソ部材に接触し、該シーソ部材がラック１５を記録媒体挿入口１２に向かって押す。ラック１５が一つの歯車１４と噛み合って、スライド部材７が徐々に記録媒体挿入口１２に向かってスライドし始める。
【０１１２】
ローラアーム３７のピン４３はガイド斜面２２に沿って移動して徐々に底壁９に近づく。ディスクガイド３８のピン４３は、水平延在部２０ａから傾斜延在部２１ａ内に侵入する。ディスクガイド３８のピン４３は、傾斜延在部２１ａに沿って移動して徐々に底壁９に近づく。こうして、ディスクガイド３８とローラアーム３７とは、まず、底壁９に徐々に近づく。
【０１１３】
また、キャリッジシャーシ４５の第２ピン５１は、水平部２４を経て上方傾斜部２５内に侵入する。そして、キャリッジシャーシ４５の第２ピン５１は、上方傾斜部２５に沿って徐々に天井壁１０に近づく。クランプアーム４６の第２ピン５１は、水平部２７ａを経て下方傾斜部２８に沿って徐々に底壁９に近づく。こうして、キャリッジシャーシ４５とクランプアーム４６とは、徐々に近づく。
【０１１４】
さらに、ロックピン５２は水平延在部３５に沿って、スライド部材７に対し相対的に移動する。ロック部材４４の第３ピン５９は、ロックガイド溝３０のスライド延在部３２に沿って、スライド部材７に対し相対的に移動する。ロック部材４４は、ロックピン５２に係止した状態を維持する。
【０１１５】
大径ＣＤ２ａが、機器本体３内に搬送されていき、該大径ＣＤ２ａの中央孔が回転テーブル４８とクランパ５０との間に位置する。すると、ローラアーム３７のピン４３はガイド斜面２２に沿って移動して徐々に底壁９に近づく。ディスクガイド３８のピン４３は、傾斜延在部２１ａから傾斜延在部２１ｂ内に侵入する。ディスクガイド３８のピン４３は、傾斜延在部２１ｂに沿って移動して徐々に天井壁１０に近づく。こうして、ディスクガイド３８とローラアーム３７とは、互いに離れる。
【０１１６】
また、キャリッジシャーシ４５の第２ピン５１は、上方傾斜部２５に沿って徐々に天井壁１０に近づく。クランプアーム４６の第２ピン５１は、下方傾斜部２８に沿って徐々に底壁９に近づく。こうして、キャリッジシャーシ４５とクランプアーム４６とは、さらに徐々に近づく。
【０１１７】
すると、前記キャリッジシャーシ４５とクランプアーム４６とが互いに近づいて、回転テーブル４８とクランパ５０との間に大径ＣＤ２ａを挟むと同時に、該大径ＣＤ２ａからローラアーム３７のローラ４０とディスクガイド３８とが離れる。こうして、搬送ユニット４が大径ＣＤ２ａを離すと同時に、クランプ再生ユニット５が大径ＣＤ２ａを挟持（クランプ）して、大径ＣＤ２ａは再生位置に位置決めされる。
【０１１８】
クランプ再生ユニット５が大径ＣＤ２ａを挟持（クランプ）した状態では、図７に示すように、ローラアーム３７のピン４３は、ガイド斜面２２の中央部に接触している。ディスクガイド３８のピン４３は、傾斜延在部２１ｂの上端部に位置している。こうして、ローラアーム３７とディスクガイド３８とは徐々に離れている。
【０１１９】
また、クランプ再生ユニット５が大径ＣＤ２ａを挟持（クランプ）した状態では、図７に示すように、キャリッジシャーシ４５の第２ピン５１は、第１ガイド溝２３の上方傾斜部２５の記録媒体挿入口１２から離れた端部に位置している。クランプアーム４６の第２ピン５１は、第２ガイド溝２７の拡大部２９内に位置している。こうして、キャリッジシャーシ４５とクランプアーム４６とは互いに近づいた状態となっている。
【０１２０】
さらに、クランプ再生ユニット５が大径ＣＤ２ａを挟持（クランプ）した状態では、図７に示すように、ロックピン５２は、ロック凹溝３１の拡大部３６内に位置している。ロック部材４４の第３ピン５９は、ロックガイド溝３０のスライド延在部３２と交差延在部３３とが互いに交わる交差部に位置している。このため、鉤部５４のロックピン５２への係止が若干解除される方向に、ロック部材４４が前記ロック位置から若干回転されている。こうして、ロック部材４４は、前記ロック位置からロック解除位置に向かって若干変位されている。
【０１２１】
さらに、前記モータ１３が正転駆動して、スライド部材７が記録媒体挿入口１２に向かって移動されると、ローラアーム３７のピン４３はガイド斜面２２に沿って移動して徐々に底壁９に近づく。ディスクガイド３８のピン４３は、傾斜延在部２１ｂに沿って移動して徐々に天井壁１０に近づいた後、水平延在部２０ａ内に侵入する。こうして、ディスクガイド３８とローラアーム３７とは、さらに互いに離れる。
【０１２２】
また、キャリッジシャーシ４５の第２ピン５１は、上方傾斜部２５から拡大部２６に侵入した後、第１ガイド溝２３内から抜け出る。クランプアーム４６の第２ピン５１は、第２ガイド溝２７内から抜け出る。こうして、キャリッジシャーシ４５とクランプアーム４６とは、互いに近づいた状態を維持される。
【０１２３】
さらに、ロックピン５２はロック凹溝３１から抜け出る。ロック部材４４の第３ピン５９は、ロックガイド溝３０の交差延在部３３内に侵入しているため、スライド部材７の記録媒体挿入口１２に向かう移動によって、前記端部５８を中心として回転される。そして、鉤部５４からロックピン５２が完全に抜け出て、鉤部５４のロックピン５２に対する係止が解除される。こうして、ロック部材４４によるロックピン５２の係止が解除されて、前記ロック部材４４が図８に示すロック解除位置に変位する。
【０１２４】
ロック解除位置では、図８に示すように、ローラアーム３７のピン４３は、ガイド斜面２２の記録媒体挿入口１２から離れた端部に接触している。ディスクガイド３８のピン４３は、水平延在部２０ｂの記録媒体挿入口１２から離れた端部に位置している。こうして、ローラアーム３７とディスクガイド３８とは互いに離れる。アーム本体３９が底壁９に平行となるとともに、ローラアーム３７は底壁９の近傍に位置する。ガイド本体４１が天井壁１０と平行となるとともに、ディスクガイド３８は天井壁１０の近傍に位置する。また、図９中に点線で示す位置に回転されたストッパーアーム６４は、ローラアーム３７が底壁９の近傍に位置するとそのローラアーム３７のアーム本体３９に設けられた図示せぬ突出ピンにより係止される。すなわち、ストッパ突起７４を搬送経路から退避した状態に保つ。そして、ストッパ突起７４と大径ＣＤ２ａとは接触しない状態になる。また、大径ＣＤ２ａとセンタリングアーム６２の突出ピン６８とが接触しない状態になり、上記した解除位置に回転されたセンタリングアーム６２は、コイルばねの付勢力により係合位置に変位される。このとき、鉤部７３と係合突起６９とは係合していない。
【０１２５】
また、ロック解除位置では、図８に示すように、キャリッジシャーシ４５の第２ピン５１は第１ガイド溝２３から抜け出ている。クランプアーム４６の第２ピン５１は、第２ガイド溝２７から抜け出ている。ロックピン５２は、ロック凹溝３１から抜け出ている。ロック部材４４の第３ピン５９は、ロックガイド溝３０の交差延在部３３に位置している。
【０１２６】
ロック部材４４のロックピン５２への係止が解除されているため、クランプ再生ユニット５は前述した図示しないダンパとコイルばねによって、機器本体３に対し移動自在となっている。この状態で、前記記録媒体再生装置１は、大径ＣＤ２ａに記録された情報を取り出して、該情報を音声として出力する。
【０１２７】
図７に示すクランプ再生ユニット５が大径ＣＤ２ａをクランプした状態から図８に示すロック解除位置に変位する際に、ロック部材４４は端部５８を中心として徐々に回転する。そして、ロックピン５２が徐々にロック凹溝３１内から徐々に抜け出るとともに、ロック部材４４のロックピン５２に対する係止が徐々に解除される。さらに、ローラアーム３７とディスクガイド３８とが大径ＣＤ２ａから徐々に離れる。
【０１２８】
また、前記ロック部材４４がロック位置からロック解除位置に向かって変位する最中には、ロックピン５２は、拡大部３６と鉤部５４等で囲まれた領域内を移動自在となる。前記ロック部材４４がロック位置からロック解除位置に向かって変位する最中には、ロック部材４４が端部５８を中心として回転するので、拡大部３６と鉤部５４等で囲まれた領域が徐々に拡大する。
【０１２９】
さらに、前記ロック部材４４がロック位置からロック解除位置に向かって変位する最中には、スライド部材７が記録媒体挿入口１２に向かって移動するため、第２ピンは、第１および第２ガイド溝２３，２７から徐々に抜け出る。第１および第２ガイド溝２３，２７から抜け出る最中には、第２ピン５１は、拡大部２６，２９内を移動自在となる。このため、第１および第２ガイド溝２３，２７から抜け出る最中には、第２ピン５１の移動自在となる領域が徐々に拡大する。
【０１３０】
このため、前記ロック部材４４がロック位置からロック解除位置に向かって変位する最中には、機器本体３に対するクランプ再生ユニット５が移動自在となる領域が徐々に拡大する。しかしながら、前述したスライド部材７などは、前記ロック部材４４などの変位によって移動自在となったクランプ再生ユニット５にクランプされた大径ＣＤ２ａが搬送ユニット４のローラアーム３７とディスクガイド３８などに接触できないように、ロック部材４４を変位させる。
【０１３１】
こうして、本実施形態の記録媒体再生装置１は、クランプ再生ユニット５が大径ＣＤ２ａをクランプすると、搬送ユニット４のローラアーム３７とディスクガイド３８とが大径ＣＤ２ａから徐々に離れるとともに、ロック部材４４のロックが徐々に解除される。ロック部材４４がロック解除位置に変位すると、クランプ再生ユニット５が大径ＣＤ２ａに記録された情報を読み出すことが可能となる。
【０１３２】
前記記録媒体再生装置１は、大径ＣＤ２ａの再生などが終了して、該大径ＣＤ２ａを機器本体３内から排出する際には、モータ１３が、先ほどとは逆方向に例えば逆転駆動して、スライド部材７を記録媒体挿入口１２から離す方向に移動させる。
【０１３３】
すると、ロック部材４４が、ロック解除位置からロック位置に向かって徐々に回転して、クランプ再生ユニット５が機器本体３に対し移動できる範囲が徐々に狭くなる。ローラアーム３７とディスクガイド３８とが徐々に互いに近づく。ローラアーム３７のローラ４０とディスクガイド３８との間に大径ＣＤ２ａを挟むと、キャリッジシャーシ４５とクランプアーム４６とが大径ＣＤ２ａから離れる。クランプ再生ユニット５のクランプが解除される。ローラ４０の回転によって、大径ＣＤ２ａが記録媒体挿入口１２を通して機器本体３外に排出される。
【０１３４】
ローラアーム３７のローラ４０が大径ＣＤ２ａを挟む位置に移動すると、ストッパーアーム６４の係止状態が解除され、そのストッパーアーム６４は、ねじりばねの付勢力により図９中の実線で示す位置に向かって回転する。すると、ローラ４０の回転により機器本体３外に向かって搬送されている大径ＣＤ２ａにストッパ突起７４が接触する。大径ＣＤ２ａが更に機器本体３外に向って搬送されると、センタリングアーム６２の突出ピン６８に接触して、センタリングアーム６２を解除位置に変位させる。このとき、鉤部７３と係合突起６９とは係合されていないので、センタリングアーム６２は解除位置に変位可能となる。そして、大径ＣＤ２ａが機器本体３外に完全に排出されると、突出ピン６８と大径ＣＤ２ａとの接触状態が解除され、センタリングアーム６２がコイルばねの付勢力により係合位置に変位されるとともに、ストッパーアーム６４が図９中の実線で示す位置に変位され、鉤部７３内に係合突起６９が侵入する。こうして、再び、鉤部７３と係合突起６９とが係合する。
【０１３５】
このように、大径ＣＤ２ａを機器本体３外に排出するときも、ストッパーアーム６４のストッパ突起７４を搬送経路から退避した状態としているので、大径ＣＤ２ａの排出を妨げない。
【０１３６】
前記記録媒体挿入口１２を通して機器本体３内に小径ＣＤ２ｂを挿入すると、まず、小径ＣＤ２ｂは双方の突出ピン６８に接触する。突出ピン６８が互いに離れる方向にセンタリングアーム６２が回転される。すると、リンク６３の連結ピン７１が円弧部６６内に侵入した状態では、小径ＣＤ２ｂが双方の突出ピン６８に同時に接触できないため、一方のセンタリングアーム６２のアーム本体６７が、前記解除位置に向かって回転されても、連結ピン７１が円弧部６６内に侵入したままとなる。このため、係合突起６９と鉤部７３との係合が解除されない。そして、前記小径ＣＤ２ｂは、前述した大径ＣＤ２ａの場合と同様にして再生位置に向って搬送される。
【０１３７】
また、前記小径ＣＤ２ｂは、記録媒体挿入口１２内において、図１０に示すように、ストッパーアーム６４寄りに挿入されることがある。このとき、小径ＣＤ２ｂは前記一方のセンタリングアーム６２の突出ピン６８のみに接触する。前記一方のセンタリングアーム６２のアーム本体６７が、前記解除位置に向かって回転されても、連結ピン７１が円弧部６６内に侵入した状態では小径ＣＤ２ｂが双方の突出ピン６８に同時に接触できないため、連結ピン７１が円弧部６６内に侵入する。そして、係合突起６９と鉤部７３との係合が解除されない。
【０１３８】
このため、小径ＣＤ２ｂを再生位置に向かって搬送する際に、前記一方のセンタリングアーム６２のアーム本体６７が係合位置に保たれることとなる。そして、図１１に示すように、小径ＣＤ２ｂがストッパ突起７４に接触しても、ストッパーアーム６４の回転が規制されているため、小径ＣＤ２ｂが搬送経路から外れることなく、再生位置に向かって搬送される。
【０１３９】
前記小径ＣＤ２ｂを機器本体３内から排出する際には、前述した大径ＣＤ２ａと同様に排出する。また、排出される際に記録媒体挿入口１２の近傍に障害物がおかれていたとしても、前記係合突起６９と鉤部７３との係合が解除されていないため、小径ＣＤ２ｂは、図１１に示すように、一方のセンタリングアーム６２の突出ピン６８とストッパ突起７４とに支持される。そして、小径ＣＤ２ｂは、前記搬送経路を外れて機器本体３の奥に侵入することが防止される。
【０１４０】
このように、一対のセンタリングアーム６２は、ＣＤ２ａ，２ｂを記録媒体挿入口１２から前記再生位置に案内するとともに、前記再生位置から記録媒体挿入口１２に案内する。また、リンク６３は、一対のセンタリングアーム６２のうちいずれか一方のセンタリングアーム６２の突出ピン６８が他方のセンタリングアーム６２の突出ピン６８から離れる方向に押されると、係合突起６９と鉤部７３との係合が解除させないように前記一対のセンタリングアーム６２が前記機器本体３に対し変位することを規制する。
【０１４１】
さらに、リンク６３は、前記一対のセンタリングアーム６２の両方の突出ピン６８が互いに離れる方向に押されると、前記係合突起６９と前記鉤部７３との係合が解除するまで前記一対のセンタリングアーム６２が前記機器本体３に対し変位することを許容する。すなわち、係合突起６９と鉤部７３との係合が解除することを許容する。
【０１４２】
本実施形態によれば、小径ＣＤ２ｂを搬送する際に、リンク６３はストッパーアーム６４を搬送経路内に位置付ける。また、ストッパーアーム６４が一方のセンタリングアーム６２に係合したままとなる。このため、ストッパーアーム６４の機器本体３に対する変位が規制される。したがって、ストッパーアーム６４が、小径ＣＤ２ｂが搬送経路から外れることを確実に防止する。したがって、ＣＤ２ａ，２ｂが搬送経路から外れることを確実に防止できる。
【０１４３】
また、大径ＣＤ２ａを搬送する際には、ストッパーアーム６４と一方のセンタリングアーム６２との係合が解除される。このため、ストッパーアーム６４の機器本体３に対する変位が許容される。したがって、ストッパーアーム６４は、大径ＣＤ２ａの搬送動作を妨げることがない。
【０１４４】
ストッパーアーム６４の鉤部７３は、搬入方向に沿って一方のセンタリングアーム６２の係合突起６９に係合する。また、センタリングアーム６２は、アーム本体６７の両端部６７ａ，６７ｂが互いに接離するように機器本体３に回転自在に支持されている。さらに、ＣＤ２ａ，２ｂが機器本体３内に挿入される際に、突出ピン６８が互いに離れる方向にセンタリングアーム６２が回転される。
【０１４５】
まず、大径ＣＤ２ａが機器本体３内に挿入される際には、突出ピン６８が互いに離れる方向に、センタリングアーム６２が回転される。そして、係合突起６９が機器本体３の内側に向かって移動しながら他方のセンタリングアーム６２に近づくこととなる。すると、係合突起６９が鉤部７３内から抜け出る。
【０１４６】
このため、大径ＣＤ２ａが機器本体３内に搬送される際に、ストッパーアーム６４と一方のセンタリングアーム６２との係合を確実に解除できる。このため、ストッパーアーム６４を機器本体３に対し確実に回転自在にできる。したがって、大径ＣＤ２ａの搬送動作を、ストッパーアーム６４などが妨げることがない。
【０１４７】
いずれか一方のセンタリングアーム６２の突出ピン６８が他方のセンタリングアーム６２から離れる方向に押されると、連結ピン７１が円弧部６６内に侵入して、係合突起６９と鉤部７３とが係合したままとなる。このため、小径ＣＤ２ｂを搬送する際には、係合突起６９と鉤部７３とが係合したままとなる。このため、ストッパーアーム６４の機器本体３に対する変位を確実に規制できる。したがって、ストッパーアーム６４は、小径ＣＤ２ｂが搬送経路から外れることをより確実に防止できる。したがって、ＣＤ２ａ，２ｂが搬送経路から外れることを確実に防止できる。
【０１４８】
また、双方のセンタリングアーム６２の突出ピン６８が互いに離れる方向に押されると、係合突起６９と鉤部７３との係合が解除される。このため、大径ＣＤ２ａを搬送する際には、係合突起６９と鉤部７３との係合が確実に解除される。このため、大径ＣＤ２ａを挿入する際には、ストッパーアーム６４を機器本体３に対し確実に回転自在にできる。したがって、ストッパーアーム６４は、大径ＣＤ２ａの搬送動作をより確実に妨げることがない。
【０１４９】
搬送ユニット４のローラアーム３７とディスクガイド３８がＣＤ２ａ，２ｂから離れる間に、ロック部材４４などがロック位置からロック解除位置に向かって徐々に移動する。したがって、機器本体３内にＣＤ２ａ，２ｂを挿入してから該ＣＤ２ａ，２ｂに記録された情報を読み出すまでにかかる時間を短縮できる。
【０１５０】
次に、本発明の第２の実施形態にかかる記録媒体再生装置１を図１３ないし図１６を参照して説明する。なお、前述した第１の実施形態と同一構成部分には、同一符号を付して説明を省略する。本実施形態では、ディスクセンタリング機構６０は、一方のセンタリングアーム６２に係合突起６９を設けていないとともに、ストッパーアーム６４に鉤部７３を設けていない。このため、本実施形態では、センタリングアーム６２とストッパーアーム６４とは係合していない。
【０１５１】
また、本実施形態では、ストッパーアーム６４は、図１３に示すように、棒状に形成されかつクランプアーム４６のアーム本体４９に回転自在に支持されている。ストッパーアーム６４は、クランプアーム４６に回転自在に支持されることで、シャーシ８即ち機器本体３に対し回転自在に支持されている。
【０１５２】
ストッパーアーム６４は、周壁１１寄りのクランプアーム４６のアーム本体４９の端部に設けられている。ストッパーアーム６４は、図１３に示す一端部８０が前記搬送経路内の位置と、図１６に示す前記一端部８０が搬送経路外の位置とに亘って、他端部８１が回転自在（変位自在）に支持されている。ストッパーアーム６４は、付勢手段としてのねじりばね８２によって、図１３に示すように一端部８０が搬送経路内に位置するように付勢されている。
【０１５３】
小径ＣＤ２ｂが機器本体３内に挿入される際に、この小径ＣＤ２ｂが記録媒体挿入口１２のストッパーアーム６４寄りに挿入されると、小径ＣＤ２ｂがストッパーアーム６４の一端部８０に接触する。このとき、図１４に示すように、小径ＣＤ２ｂとストッパーアーム６４との接触箇所Ｓｂにおいて、ストッパーアーム６４の一端部８０と他端部８１とを結んで形成される線分Ｌ（図１４中に一点鎖線で示す）が、小径ＣＤ２ｂの法線Ｍｂ（図１４中に二点鎖線で示す）より、搬送方向Ｋに沿って機器本体３の奥側に位置する。
【０１５４】
小径ＣＤ２ｂが機器本体３内に搬送される際に、ストッパーアーム６４に与える力は、前記法線Ｍｂに沿う。このため、ストッパーアーム６４は、他端部８１を中心として図１４中の矢印Ｎｂに沿って回転されようとして、一端部８０が搬送経路内に位置したままとなる。そして、小径ＣＤ２ｂは、搬送経路から外れることなく、再生位置に搬送される。
【０１５５】
また、大径ＣＤ２ａが機器本体３内に挿入される際に、この大径ＣＤ２ａが記録媒体挿入口１２のストッパーアーム６４の一端部８０に接触する。このとき、図１５に示すように、大径ＣＤ２ａとストッパーアーム６４との接触箇所Ｓａにおいて、ストッパーアーム６４の一端部８０と他端部８１とを結んで形成される線分Ｌ（図１５中に一点鎖線で示す）が、大径ＣＤ２ａの法線Ｍａ（図１５中に二点鎖線で示す）より、搬送方向Ｋに沿って記録媒体挿入口１２寄りに位置する。
【０１５６】
大径ＣＤ２ａが機器本体３内に搬送される際に、ストッパーアーム６４に与える力は、前記法線Ｍａに沿う。このため、ストッパーアーム６４は、他端部８１を中心として図１４中の矢印Ｎａに沿って回転されようとして、一端部８０が搬送経路から外れる方向に回転される。そして、ストッパーアーム６４によって妨げられることなく、大径ＣＤ２ａは、図１６に示すように、再生位置に搬送される。
【０１５７】
このように、本実施形態のストッパーアーム６４は、小径ＣＤ２ｂが機器本体３内に搬送される際には、一端部８０が搬送経路に位置した状態に保たれる。また、本実施形態のストッパーアーム６４は、大径ＣＤ２ａが機器本体３内に搬送される際には、一端部８０が搬送経路から外れる方向に回転され、その一端部８０は、搬送経路外に位置付けられる。
【０１５８】
本実施形態によれば、小径ＣＤ２ｂを搬送する際には、一端部８０が搬送経路内に位置した状態でストッパーアーム６４の変位が規制される。したがって、ストッパーアーム６４の一端部８０は、搬送経路内に位置付けられる。ストッパーアーム６４は、小径ＣＤ２ｂが搬送経路から外れることを確実に防止する。したがって、ＣＤ２ａ，２ｂが搬送経路から外れることを確実に防止できる。
【０１５９】
また、大径ＣＤ２ａを搬送する際には、ストッパーアーム６４の回転が許容されて、一端部８０が搬送経路外に位置付けられる。したがって、ストッパーアーム６４は、大径ＣＤ２ａの搬送動作を妨げることがない。
【０１６０】
大径ＣＤ２ａが機器本体３内に挿入される際に、線分Ｌが前記大径ＣＤ２ａの法線Ｍａより記録媒体挿入口１２寄りに位置している。このため、大径ＣＤ２ａが機器本体３内に搬送される動作に伴って、一端部８０が大径ＣＤ２ａによって押されると、一端部８０が搬送経路から外れる方向に、ストッパーアーム６４が確実に回転する。したがって、大径ＣＤ２ａが機器本体３内に搬送される際には、一端部８０が搬送経路から外れる。したがって、ストッパーアーム６４は、大径ＣＤ２ａの搬送動作を妨げることがない。
【０１６１】
さらに、小径ＣＤ２ｂが機器本体３内に挿入される際に、線分Ｌが、小径ＣＤ２ｂの法線Ｍｂより機器本体３の奥側に位置している。このため、小径ＣＤ２ｂが機器本体３内に搬送される動作に伴って、一端部８０が小径ＣＤ２ｂによって押されても、一端部８０が搬送経路から外れる方向にストッパーアーム６４が回転しない。
【０１６２】
したがって、小径ＣＤ２ｂが機器本体３内に搬送される際には、ストッパーアーム６４の一端部８０が搬送経路内に位置付けられる。したがって、ストッパーアーム６４は、小径ＣＤ２ｂが搬送経路から外れることを確実に防止する。したがって、ＣＤ２ａ，２ｂが搬送経路から外れることを確実に防止できる。
【０１６３】
【発明の効果】
以上説明したように請求項１に記載の本発明は、小径ディスク形記録媒体を搬送する際には、規制手段は阻止手段の変位を規制して搬送経路内に位置付ける。したがって、阻止手段は、小径ディスク形記録媒体が搬送経路から外れることを確実に防止する。したがって、記録媒体が搬送経路から外れることを確実に防止できる。
【０１６４】
小径ディスク形記録媒体を搬送する際には、ストッパーアームが一方のセンタリングアームに係合したままその変位が規制される。このため、ストッパーアームは、小径ディスク形記録媒体が搬送経路から外れることを確実に防止する。また、大径ディスク形記録媒体を搬送する際には、ストッパーアームと一方のセンタリングアームとの係合が解除される。したがって、ストッパーアームは、小径ディスク形記録媒体が搬送経路から外れることを確実に防止することにくわえ、大径ディスク形記録媒体の搬送動作を妨げない。
【０１６５】
請求項２に記載の本発明は、ストッパーアームの鉤部は、ディスク形記録媒体の搬入方向に沿って、一方のセンタリングアームの係合突起に係合する。また、センタリングアームは、アーム本体の両端部が互いに接離するように機器本体に回転自在に支持されている。さらに、ディスク形記録媒体が機器本体内に挿入される際に、突出ピンが互いに離れる方向にセンタリングアームが回転される。
【０１６６】
まず、大径ディスク形記録媒体が機器本体内に挿入される際には、突出ピンが互いに離れる方向に、センタリングアームが回転される。そして、係合突起が機器本体の内側に向かって移動しながら他方のセンタリングアームに近づくこととなる。すると、係合突起が鉤部内から抜け出る。
【０１６７】
このため、大径ディスク形記録媒体を搬送する際に、ストッパーアームと一方のセンタリングアームとの係合を確実に解除できる。このため、ストッパーアームの機器本体に対する変位を確実に許容できる。したがって、記録媒体が搬送経路から外れることを防止できることにくわえ、大径ディスク形記録媒体の搬送動作を妨げない。
【０１６８】
請求項３に記載の本発明は、いずれか一方のセンタリングアームの突出ピンが他方のセンタリングアームから離れる方向に押されると、係合突起と鉤部とが係合したままとなる。このため、小径ディスク形記録媒体を搬送する際には、係合突起と鉤部とが係合したままとなる。このため、ストッパーアームの機器本体に対する変位を確実に規制できる。したがって、ストッパーアームによって小径ディスク形記録媒体が搬送経路から外れることをより確実に防止できる。したがって、記録媒体が搬送経路から外れることを確実に防止できる。
【０１６９】
また、双方のセンタリングアームの突出ピンが互いに離れる方向に押されると、係合突起と鉤部との係合が解除される。このため、大径ディスク形記録媒体を機器本体内に挿入する際には、係合突起と鉤部との係合が解除される。このため、ストッパーアームの機器本体に対する変位が許容される。したがって、ストッパーアームは、大径ディスク形記録媒体の搬送動作をより確実に妨げない。
【図面の簡単な説明】
【図１】本発明の第１の実施形態にかかる記録媒体再生装置を示す斜視図である。
【図２】図１に示された記録媒体再生装置の機器本体を示す斜視図である。
【図３】図１に示された記録媒体再生装置の機器本体を他の方向からみた斜視図である。
【図４】図１に示された記録媒体再生装置のスライド部材などを示す正面図である。
【図５】図１に示された記録媒体再生装置のクランプ再生ユニットの側面図である。
【図６】図１に示された記録媒体再生装置のＣＤが挿入されていない状態を側方からみた説明図である。
【図７】図１に示された記録媒体再生装置のクランプ再生ユニットがＣＤをクランプした状態を側方からみた説明図である。
【図８】図１に示された記録媒体再生装置のロック部材などがロック解除位置に変位した状態を側方からみた説明図である。
【図９】図１に示された記録媒体再生装置のディスクセンタリング機構などを示す平面図である。
【図１０】図９に示されたディスクセンタリング機構の一対のセンタリングアーム間に小径ＣＤが挿入された状態を示す平面図である。
【図１１】図１０に示された一対のセンタリングアーム間に挿入された小径ＣＤがストッパーアームのストッパ突起に接触した状態を示す平面図である。
【図１２】図９に示されたディスクセンタリング機構の一対のセンタリングアーム間に大径ＣＤが挿入された状態を示す平面図である。
【図１３】本発明の第２の実施形態にかかる記録媒体再生装置のディスクセンタリング機構などを示す平面図である。
【図１４】図１３に示されたディスクセンタリング機構の一対のセンタリングアーム間に小径ＣＤが挿入された状態を示す平面図である。
【図１５】図１３に示されたディスクセンタリング機構の一対のセンタリングアーム間に大径ＣＤが挿入された状態を示す平面図である。
【図１６】図１３に示された記録媒体再生装置内に大径ＣＤが収容された状態を示す平面図である。
【符号の説明】
１  記録媒体再生装置
２ａ  大径ＣＤ（大径ディスク形記録媒体）
２ｂ  小径ＣＤ（小径ディスク形記録媒体）
３  機器本体
４  搬送ユニット（搬送手段）
６２  センタリングアーム（案内手段）
６３  リンク（規制手段）
６４  ストッパーアーム（阻止手段）
６７  アーム本体
６７ａ  一端部
６７ｂ  他端部
６８  突出ピン
６９  係合突起
７２  第２アーム本体
７３  鉤部
７５  突出部
７６  延在部
８０  一端部
８１  他端部
Ｌ  一端部と他端部とを結ぶ線分
Ｍａ  大径ＣＤの法線（大径ディスク形記録媒体の法線）
Ｍｂ  小径ＣＤの法線（小径ディスク形記録媒体の法線）
【図１】
0004170603.tif 000002
【図２】
0004170603.tif 000003
【図３】
0004170603.tif 000004
【図４】
0004170603.tif 000005
【図５】
0004170603.tif 000006
【図６】
0004170603.tif 000007
【図７】
0004170603.tif 000008
【図８】
0004170603.tif 000009
【図９】
0004170603.tif 000010
【図１０】
0004170603.tif 000011
【図１１】
0004170603.tif 000012
【図１２】
0004170603.tif 000013
【図１３】
0004170603.tif 000014
【図１４】
0004170603.tif 000015
【図１５】
0004170603.tif 000016
【図１６】
0004170603.tif 000017